(57)【要約】【課題】分岐して設備機器間を接続する電線対を効率的に検査する。【解決手段】開閉切替装置４０１，４０２，４０３は、それぞれ、端子対２２，２４，２６に接続されたリレーを備える。開閉切替装置４０１，４０２，４０３は、電線検査装置３００から受信したコマンドに基づいて、それぞれ、端子対２２，２４，２６間の開閉状態を制御する。電線検査装置３００は、開閉切替装置４０１，４０２，４０３のそれぞれに上記コマンドを送信する通信部を備える。電線検査装置３００は、端子対２２，２４，２６のうち１つの端子対間が短絡され、端子対２２，２４，２６のうち他の端子対間が開放されているときに、端子対１１間の抵抗値を測定する。電線検査装置３００は、測定された抵抗値が予め定められた抵抗値範囲内であるか否かの判別結果を示す情報を表示する。【選択図】図１
2020190447.tif 000002
【特許請求の範囲】
【請求項１】
第１設備機器が備える第１端子対から複数の第２設備機器がそれぞれ備える複数の第２端子対に向けて分岐し、前記第１端子対と前記複数の第２端子対のそれぞれとを接続する電線対を検査する電線検査システムであって、
前記複数の第２端子対にそれぞれ接続された複数の開閉切替装置と、
前記第１端子対に接続された電線検査装置と、を備え、
前記複数の開閉切替装置のそれぞれは、
前記第２端子対間に接続された開閉手段と、
前記第２端子対間の開閉状態を制御するためのコマンドを前記電線検査装置から受信するコマンド受信手段と、
前記コマンド受信手段により受信された前記コマンドに基づいて前記開閉手段を制御することにより、前記第２端子対間を短絡又は開放する開閉制御手段と、を備え、
前記電線検査装置は、
前記複数の開閉切替装置のそれぞれに、前記コマンドを送信するコマンド送信手段と、
前記複数の第２端子対のうち１つの第２端子対間が短絡され、前記複数の第２端子対のうち残りの第２端子対間が開放されているときに、前記第１端子対間の抵抗値を測定する抵抗値測定手段と、
前記抵抗値測定手段により測定された抵抗値が予め定められた抵抗値範囲内であるか否かの判別結果を示す情報を表示する判別結果表示手段と、を備える、
電線検査システム。
【請求項２】
前記コマンド送信手段は、前記複数の開閉切替装置のうち第１開閉切替装置に接続された第２端子対間が短絡されているときに、前記コマンドに対応するパターンの電流を前記第１端子間に流すことにより、前記第１開閉切替装置に前記コマンドを送信し、
前記第１開閉切替装置が備える前記コマンド受信手段は、前記第１開閉切替装置に接続された前記第２端子対間に流れる電流のパターンを検出することにより、前記コマンドを受信する、
請求項１に記載の電線検査システム。
【請求項３】
前記第１開閉切替装置が備える前記開閉手段は、ノーマリオープンのメカニカルリレーであり、
前記第１開閉切替装置が備える前記開閉制御手段は、前記第１開閉切替装置の電源が投入されたときに、前記第１開閉切替装置に接続された前記第２端子対間が短絡するように前記第１開閉切替装置が備える前記開閉手段を制御する、
請求項２に記載の電線検査システム。
【請求項４】
前記コマンド送信手段は、前記複数の第２端子対間が開放されているときに、前記コマンドに対応するパターンの電圧を前記第１端子間に印加することにより、前記複数の開閉切替装置のうち第１開閉切替装置に前記コマンドを送信し、
前記第１開閉切替装置が備える前記コマンド受信手段は、前記第１開閉切替装置に接続された前記第２端子対間に印加された電圧のパターンを検出することにより、前記コマンドを受信する、
請求項１に記載の電線検査システム。
【請求項５】
前記コマンド送信手段は、前記複数の第２端子対のそれぞれについて短絡時に前記第１端子対間の抵抗値を測定する処理を含む前記電線対の検査処理が完了したときに、前記複数の開閉切替装置のそれぞれに、前記第２端子対間を開放状態に制御するための前記コマンドを送信する、
請求項１から４のいずれか１項に記載の電線検査システム。
【請求項６】
前記コマンド送信手段は、前記複数の開閉切替装置のうち第２開閉切替装置が備える前記開閉手段の制御スケジュールを示す前記コマンドである第１コマンドと、前記制御スケジュールによる制御の開始を指示する前記コマンドである第２コマンドとを、前記第２開閉切替装置に送信し、
前記第２開閉切替装置が備える前記開閉制御手段は、前記第２開閉切替装置が備える前記コマンド受信手段により前記第１コマンドが受信された後に前記第２コマンドが受信された場合、前記制御スケジュールに従って、前記第２開閉切替装置が備える前記開閉手段を制御する、
請求項１から５のいずれか１項に記載の電線検査システム。
【請求項７】
前記コマンド送信手段は、前記複数の開閉切替装置のそれぞれを前記第２開閉切替装置として前記第１コマンドを送信した後、前記第２コマンドをブロードキャストにより前記複数の開閉切替装置に送信する、
請求項６に記載の電線検査システム。
【請求項８】
第１設備機器が備える第１端子対から複数の第２設備機器がそれぞれ備える複数の第２端子対に向けて分岐し、前記第１端子対と前記複数の第２端子対のそれぞれとを接続する電線対を検査する電線検査方法であって、
前記複数の第２端子対にそれぞれ複数の開閉切替装置を接続し、
前記第１端子対に電線検査装置を接続し、
前記電線検査装置から前記複数の開閉切替装置のそれぞれに、前記第２端子対間の開閉状態を制御するためのコマンドを送信し、
前記複数の開閉切替装置のそれぞれは、前記コマンドに基づいて前記第２端子対間を短絡又は開放し、
前記電線検査装置は、前記複数の第２端子対のうち１つの第２端子対間が短絡され、前記複数の第２端子対のうち残りの第２端子対間が開放されているときに、前記第１端子対間の抵抗値を測定し、
測定された抵抗値が予め定められた抵抗値範囲内であるか否かの判別結果を示す情報を表示する、
電線検査方法。
【発明の詳細な説明】
【技術分野】
【０００１】
本発明は、電線検査システム、及び、電線検査方法に関する。
【背景技術】
【０００２】
現在、設備機器を交換するときに、設備機器間を相互に接続する電線対が再利用可能であるか否かを判別することがある。ここで、電線対が再利用可能であるか否かを判別する方法として、短絡時抵抗値と開放時抵抗値とを判別する方法が知られている。短絡時抵抗値は、電線対の一端間を短絡したときの電線対の他端間の抵抗値である。開放時抵抗値は、電線対の一端間を開放したときの電線対の他端間の抵抗値である。
【０００３】
ここで、電線対の他端において抵抗値を測定する場合において、電線対の一端間が自動で短絡及び開放されると便利である。特許文献１には、電線対の他端間の電圧を測定する場合において、電線対の一端間を予め定められた周期で短絡又は開放する開閉切替装置が記載されている。ところで、複数のフロアに亘って複数の設備機器が配置されている場合、電線対が各フロアに分岐することがある。この場合、分岐した電線対毎に短絡時抵抗値と開放時抵抗値とを判別することが好適である。
【先行技術文献】
【特許文献】
【０００４】
【特許文献１】特開２０１６−９５２７１号公報
【発明の概要】
【発明が解決しようとする課題】
【０００５】
しかしながら、特許文献１に記載された開閉切替装置は、電線対の一端間の状態を周期的に自動で切り替える装置であり、外部の装置から制御可能な装置ではない。このため、特許文献１に記載された開閉切替装置を、各フロアに分岐した電線対の末端部分に接続する場合、どのフロアの電線対がどの状態であるのかを正確に把握することが困難である。一方、作業者が末端部分の状態を手動で切り替える場合、短絡時抵抗値又は開放時抵抗値を測定する毎に上記状態を手動で切り替える必要が生じ、非常に面倒である。また、作業者が頻繁に各フロアに出入りすることが好ましくない場合も多い。このため、分岐して設備機器間を接続する電線対を効率的に検査する技術が望まれている。
【０００６】
本発明は、上記問題に鑑みてなされたものであり、分岐して設備機器間を接続する電線対を効率的に検査する電線検査システム、及び、電線検査方法を提供することを目的とする。
【課題を解決するための手段】
【０００７】
上記目的を達成するために、本発明に係る電線検査システムは、
第１設備機器が備える第１端子対から複数の第２設備機器がそれぞれ備える複数の第２端子対に向けて分岐し、前記第１端子対と前記複数の第２端子対のそれぞれとを接続する電線対を検査する電線検査システムであって、
前記複数の第２端子対にそれぞれ接続された複数の開閉切替装置と、
前記第１端子対に接続された電線検査装置と、を備え、
前記複数の開閉切替装置のそれぞれは、
前記第２端子対間に接続された開閉手段と、
前記第２端子対間の開閉状態を制御するためのコマンドを前記電線検査装置から受信するコマンド受信手段と、
前記コマンド受信手段により受信された前記コマンドに基づいて前記開閉手段を制御することにより、前記第２端子対間を短絡又は開放する開閉制御手段と、を備え、
前記電線検査装置は、
前記複数の開閉切替装置のそれぞれに、前記コマンドを送信するコマンド送信手段と、
前記複数の第２端子対のうち１つの第２端子対間が短絡され、前記複数の第２端子対のうち残りの第２端子対間が開放されているときに、前記第１端子対間の抵抗値を測定する抵抗値測定手段と、
前記抵抗値測定手段により測定された抵抗値が予め定められた抵抗値範囲内であるか否かの判別結果を示す情報を表示する判別結果表示手段と、を備える。
【発明の効果】
【０００８】
本発明では、第１端子対に接続された電線検査装置から複数の第２端子対にそれぞれ接続された複数の開閉切替装置に送信されたコマンドにより、複数の第２端子対のうち１つの第２端子対間が短絡され、残りの第２端子対間が開放されているときに、電線検査装置により第１端子対間の抵抗値が測定される。従って、本発明によれば、分岐して設備機器間を接続する電線対を効率的に検査することができる。
【図面の簡単な説明】
【０００９】
【図１】本発明の実施形態１に係る電線検査システムの構成図
【図２】本発明の実施形態１に係る電線検査装置の機能ブロック図
【図３】電線検査装置が備える通信部の回路図
【図４】電線検査装置が備える抵抗測定部の回路図
【図５】フレームデータの構成図
【図６】本発明の実施形態１に係る開閉切替装置の構成図
【図７】制御スケジュールの説明図
【図８】本発明の実施形態１に係る電線検査装置が実行する電線検査処理を示すフローチャート
【図９】図８に示す抵抗値測定処理を示すフローチャート
【図１０】本発明の実施形態１に係る開閉切替装置が実行する開閉制御処理を示すフローチャート
【図１１】検査結果提示画面を示す図
【図１２】本発明の実施形態２に係る電線検査装置が備える通信部の回路図
【図１３】本発明の実施形態２に係る開閉切替装置の構成図
【発明を実施するための形態】
【００１０】
（実施形態１）
まず、図１を参照して、本発明の実施形態に係る電線検査システム１０００について説明する。電線検査システム１０００は、複数の設備機器を相互に接続する電線対を検査するシステムである。具体的には、電線検査システム１０００は、複数の枝に分岐する電線対の枝毎に、短絡時抵抗値と開放時抵抗値とが予め定められた抵抗値範囲内に収まっているか否かを判別する。短絡時抵抗値は、電線対の一端の短絡時における電線対の他端間の抵抗値である。開放時抵抗値は、電線対の一端の開放時における電線対の他端間の抵抗値である。
【００１１】
本実施形態では、電線検査システム１０００を適用するシステムが、室外機１００と、室内機２０１と、室内機２０２と、室内機２０３と、室内機２０４と、室内機２０５と、室内機２０６とを備える空調システムである。つまり、本実施形態では、電線検査システム１０００は、空調システムが備える空調機を相互に接続する電線対を検査する。室外機１００は、１階の室外に設置される空調機である。室内機２０１と室内機２０２とは、１階の室内に設置される空調機である。室内機２０３と室内機２０４とは、２階の室内に設置される空調機である。室内機２０５と室内機２０６とは、３階の室内に設置される空調機である。
【００１２】
室外機１００は、端子１１Ａと端子１１Ｂとを備える。以下、端子１１Ａと端子１１Ｂとをまとめて端子対１１という。第１端子対は、例えば、端子対１１に対応する。室内機２０１は、端子２１Ａと端子２１Ｂとを備える。室内機２０２は、端子２２Ａと端子２２Ｂとを備える。端子２２Ａと端子２２Ｂとをまとめて端子対２２という。室内機２０３は、端子２３Ａと端子２３Ｂとを備える。室内機２０４は、端子２４Ａと端子２４Ｂとを備える。端子２４Ａと端子２４Ｂとをまとめて端子対２４という。
【００１３】
室内機２０５は、端子２５Ａと端子２５Ｂとを備える。室内機２０６は、端子２６Ａと端子２６Ｂとを備える。端子２６Ａと端子２６Ｂとをまとめて端子対２６という。第２端子対は、例えば、端子対２２と端子対２４と端子対２６とに対応する。第１設備機器は、例えば、室外機１００に対応する。第２設備機器は、第１設備機器から見て電線対の末端に接続される設備機器であり、例えば、室内機２０２と室内機２０４と室内機２０６とに対応する。
【００１４】
端子１１Ａと端子３１Ａとは、電線４１Ａにより接続される。端子１１Ｂと端子３１Ｂとは、電線４１Ｂにより接続される。端子３１Ａと端子２１Ａとは、電線４２Ａにより接続される。端子３１Ｂと端子２１Ｂとは、電線４２Ｂにより接続される。端子２１Ａと端子２２Ａとは、電線４３Ａにより接続される。端子２１Ｂと端子２２Ｂとは、電線４３Ｂにより接続される。端子３１Ａと端子３２Ａとは、電線４４Ａにより接続される。端子３１Ｂと端子３２Ｂとは、電線４４Ｂにより接続される。
【００１５】
端子３２Ａと端子２３Ａとは、電線４５Ａにより接続される。端子３２Ｂと端子２３Ｂとは、電線４５Ｂにより接続される。端子２３Ａと端子２４Ａとは、電線４６Ａにより接続される。端子２３Ｂと端子２４Ｂとは、電線４６Ｂにより接続される。端子３２Ａと端子２５Ａとは、電線４７Ａにより接続される。端子３２Ｂと端子２５Ｂとは、電線４７Ｂにより接続される。端子２５Ａと端子２６Ａとは、電線４８Ａにより接続される。端子２５Ｂと端子２６Ｂとは、電線４８Ｂにより接続される。
【００１６】
このように、複数の設備機器は、基本的に、２本の電線（以下、適宜「電線対」という。）により接続される。電線対は、例えば、複数の設備機器間における情報又は電力の伝送に用いられるケーブルに含まれる２本の電線である。なお、ケーブル内では、２本の電線はそれぞれ絶縁体により被服され、２本の電線は互いに絶縁される。ここで、電線対は、室外機１００から、各階の末端の室内機に向けて、分岐、つまり、枝分かれする。また、室外機１００と１つの階に設置された複数の空調機とは、電線対により直列に接続される。
【００１７】
具体的には、１階に関しては、室外機１００と室内機２０１と室内機２０２とが、電線対５１により直列に接続される。電線対５１は、電線４１Ａと電線４２Ａと電線４３Ａとが直列に接続された電線と、電線４１Ｂと電線４２Ｂと電線４３Ｂとが直列に接続された電線との対である。また、２階に関しては、室外機１００と室内機２０３と室内機２０４とが、電線対５２により直列に接続される。電線対５２は、電線４１Ａと電線４４Ａと電線４５Ａと電線４６Ａとが直列に接続された電線と、電線４１Ｂと電線４４Ｂと電線４５Ｂと電線４６Ｂとが直列に接続された電線との対である。
【００１８】
また、３階に関しては、室外機１００と室内機２０５と室内機２０６とが、電線対５３により直列に接続される。電線対５３は、電線４１Ａと電線４４Ａと電線４７Ａと電線４８Ａとが直列に接続された電線と、電線４１Ｂと電線４４Ｂと電線４７Ｂと電線４８Ｂとが直列に接続された電線との対である。なお、本実施形態では、電線４１Ａと電線４１Ｂとが電線対５１と電線対５２と電線対５３とで共用されているが、電線４１Ａと電線４１Ｂとが電線対５１と電線対５２と電線対５３とで別々に用意されていてもよい。同様に、電線４４Ａと電線４４Ｂとが電線対５２と電線対５３とで別々に用意されていてもよい。
【００１９】
ここで、電線検査システム１０００は、室外機１００と、各階の末端の室内機とを接続する電線対の短絡時抵抗値及び開放時抵抗値を測定する。具体的には、電線検査システム１０００は、室外機１００と室内機２０２とを接続する電線対５１と、室外機１００と室内機２０４とを接続する電線対５２と、室外機１００と室内機２０６とを接続する電線対５３とのそれぞれについて、短絡時抵抗値及び開放時抵抗値を測定する。抵抗値の測定は、３つの電線対が集約された室外機１００の接続箇所にて実行される。つまり、端子対１１に接続された電線検査装置３００が、端子対１１間の抵抗値を測定する。
【００２０】
ここで、電線検査システム１０００は、電線対５１と電線対５２と電線対５３とが敷設された状態で、電線対５１と電線対５２と電線対５３とを検査する。この場合、電線対５１と電線対５２と電線対５３との両端のうち電線検査装置３００に接続されていない方の端部は、基本的に、電線検査装置３００から離れた場所に存在する。従って、これらの端部には、これらの端部の開閉状態を切り替える開閉切替装置４００が接続される。
【００２１】
なお開閉切替装置４００は、図１における、開閉切替装置４０１、開閉切替装置４０２、及び、開閉切替装置４０３の総称である。開閉切替装置４０１は、室内機２０２が備える端子対２２に接続される。開閉切替装置４０２は、室内機２０４が備える端子対２４に接続される。開閉切替装置４０３は、室内機２０６が備える端子対２６に接続される。そして、電線検査装置３００は、開閉切替装置４００をコマンドで制御することにより、これらの端部の開閉状態を切り替える。電線検査装置３００が開閉切替装置４００にコマンドを送信する方法は、適宜、調整することができる。本実施形態では、電線検査装置３００は、コマンドに応じたパターンの電流を電線対に流すことにより、開閉切替装置４００にコマンドを送信する例について説明する。
【００２２】
ここで、電線検査装置３００は、検査対象の電線対を検査する場合、検査対象でない電線対の影響を減らすため、検査対象でない電線対の端部を開放状態にする。例えば、電線検査装置３００は、電線対５１を検査する場合、まず、電線対５２の端部である端子対２４間と電線対５３の端部である端子対２６間とを開放状態にする。そして、電線検査装置３００は、電線対５１の端部である端子対２２間を短絡状態にしたときの端子対１１間の抵抗値を、電線対５１の短絡時抵抗値として測定する。また、電線検査装置３００は、電線対５１の端部である端子対２２間を開放状態にしたときの端子対１１間の抵抗値を、電線対５１の開放時抵抗値として測定する。
【００２３】
次に、図２を参照して、電線検査装置３００の基本的な機能について説明する。図２に示すように、電線検査装置３００は、機能的には、制御部３１０と、操作受付部３２０と、記憶部３３０と、通信部３４０と、開閉判別部３５０と、抵抗値測定部３６０と、表示部３７０とを備える。コマンド送信手段は、例えば、通信部３４０に対応する。抵抗値測定手段は、例えば、抵抗値測定部３６０に対応する。判別結果表示手段は、例えば、表示部３７０に対応する。
【００２４】
制御部３１０は、電線検査装置３００全体の動作を制御する。制御部３１０は、例えば、予め定められたプログラムに従って動作する。制御部３１０は、機能的には、抵抗値判別部３１１を備える。抵抗値判別部３１１は、抵抗値測定部３６０により測定された抵抗値が、予め定められた抵抗値範囲内であるか否かを判別する。抵抗値測定部３６０により測定される抵抗値は、基本的に、短絡時抵抗値と開放時抵抗値とのいずれかである。短絡時抵抗値は、電線対の往復分の抵抗値であるため、ループ抵抗とも呼ばれる。開放時抵抗値は、電線対の端部を絶縁状態にしたときの抵抗値であるため、絶縁抵抗とも呼ばれる。
【００２５】
上記抵抗値範囲は、基本的に、正常範囲を意味する。正常範囲は、例えば、電線対の素材、電線対の断面積、電線対の長さなどにより定められる。例えば、短絡時抵抗値の正常範囲は、数Ωから数ｋΩの範囲である。また、例えば、開放時抵抗値の正常範囲は、数百ｋΩ以上である。例えば、抵抗値判別部３１１は、測定された短絡時抵抗値が１０Ωから１ｋΩの範囲内であるか否かと、測定された開放時抵抗値が２００ｋΩ以上であるか否かを判別する。抵抗値判別部３１１は、判別結果を示す情報を表示部３７０に供給する。制御部３１０及び抵抗値判別部３１１の機能は、例えば、ＲＯＭ（Read Only Memory）、ＲＡＭ（Random Access Memory）、ＲＴＣ（Real Time Clock）などを内蔵したＣＰＵ（Central Processing Unit）の機能により実現される。
【００２６】
操作受付部３２０は、電線検査装置３００に対する各種の操作をユーザから受け付ける。操作受付部３２０は、例えば、開始指示操作とアドレス指定操作とをユーザから受け付ける。開始指示操作は、電線検査処理の開始を指示する操作である。アドレス指定操作は、開閉切替装置４０１のアドレスと開閉切替装置４０２のアドレスと開閉切替装置４０３のアドレスとを指定する操作である。このアドレスは、通信部３４０がコマンドを送信するときに、コマンドの送信先の開閉切替装置４００を指定するためのアドレスとして用いられる。操作受付部３２０は、受け付けた操作の内容を示す操作情報を、制御部３１０に供給する。操作受付部３２０の機能は、例えば、タッチスクリーンの機能により実現される。
【００２７】
記憶部３３０は、電線検査装置３００が実行する電線検査処理に用いられる各種のデータを記憶する。例えば、記憶部３３０は、アドレス情報と正常範囲情報とを記憶する。アドレス情報は、開閉切替装置４０１のアドレスと開閉切替装置４０２のアドレスと開閉切替装置４０３のアドレスとを示す情報である。正常範囲情報は、短絡時抵抗値の正常範囲と開放時抵抗値の正常範囲とを示す情報である。記憶部３３０の機能は、例えば、フラッシュメモリの機能により実現される。
【００２８】
通信部３４０は、開閉切替装置４００と通信する。具体的には、通信部３４０は、電線対を介した電流伝送により、開閉切替装置４００にコマンドを送信する。通信部３４０は、開閉切替装置４０１と開閉切替装置４０２と開閉切替装置４０３とのそれぞれに、第２端子対間の開閉状態を制御するためのコマンドを送信する。通信部３４０の機能は、例えば、電線対間に電流を流す回路の機能により実現される。
【００２９】
以下、図３を参照して、通信部３４０の回路図について説明する。図３に示すように、通信部３４０は、回路的には、電源端子３４１と、スイッチング素子３４２と、信号変換回路３４３と、負荷抵抗３４４と、接地端子３４５とを備える。
【００３０】
電源端子３４１は、通信用の電源電圧が印加される端子である。通信用の電源電圧は、例えば、５Ｖである。スイッチング素子３４２は、端子対１１間に電流を流す状態（以下、適宜「導通状態」という。）と、端子対１１間に電流を流さない状態（以下、適宜「絶縁状態」という。）とを切り替える素子である。スイッチング素子３４２が備える電流路の一端は、電源端子３４１に接続される。スイッチング素子３４２が備える電流路の他端は、負荷抵抗３４４の一端に接続される。スイッチング素子３４２が備える制御端子は、信号変換回路３４３に接続される。スイッチング素子３４２は、例えば、ＮＰＮ（Negative Positive Negative）型トランジスタである。
【００３１】
信号変換回路３４３は、制御部３１０から供給されたデータ信号を、スイッチング素子３４２に供給する制御信号に変換する。データ信号は、例えば、フレームデータを８ビット毎にパラレル信号で示す電圧信号である。制御信号は、例えば、このフレームデータを１ビットのシリアル信号で示す電圧信号である。以下、図５を参照して、フレームデータの構成について説明する。
【００３２】
図５に示すように、フレームデータは、アドレスとコマンドとを含む。アドレスは、開閉切替装置４００に付与されたアドレスである。アドレスは、アドレスを示す８ビットのビットデータに加え、１ビットのスタートビットと１ビットのストップビットとを含む。図示は省略するが、コマンドは、例えば、コマンドを示す８ビットのビットデータに加え、１ビットのスタートビットと１ビットのストップビットとを含む。本実施形態では、ビット値が０であるときに端子対１１間に電流が流れることが許容され、ビット値が１であるときに端子対１１間に電流が流れることが許容されないものとする。
【００３３】
負荷抵抗３４４は、端子対１１間に流れる電流を制限するための抵抗である。負荷抵抗３４４の他端は、端子１１Ａに接続される。接地端子３４５は、接地電位に設定される端子である。接地端子３４５は、端子１１Ｂに接続される。
【００３４】
開閉判別部３５０は、端子対１１間が開放状態と導通状態とのいずれであるのかを判別する。開放状態は、端子対１１間にほぼ電流が流れない状態である。導通状態は、端子対１１間に少なくとも少しの電流が流れる状態である。開閉判別部３５０は、例えば、端子対間の抵抗値が１００ｋΩ以上であるときに開放状態であると判別し、端子対間の抵抗値が１００ｋΩ未満であるときに導通状態であると判別する。開閉判別部３５０は、抵抗値測定部３６０による抵抗値測定に先立って、開閉状態の判別処理を実行する。この理由は、端子対１１間の状態が明らかに異常である場合、端子対１１間の抵抗値を測定することは、回路保護の観点から望ましくなく、また、あまり意味がないためである。開閉判別部３５０の機能は、例えば、オペアンプを含む比較回路の機能により実現される。
【００３５】
抵抗値測定部３６０は、複数の第２端子対のうち１つの第２端子対間が短絡され、複数の第２端子対のうち残りの第２端子対間が開放されているときに、第１端子対間の抵抗値を測定する。例えば、１つの第２端子対が端子対２２である場合、残りの第２端子対は端子対２４と端子対２６との２つである。なお、第１端子対は、端子対１１である。このように、抵抗値測定部３６０は、検査対象外の電線対の影響を受けないように、検査対象外の電線対の端部を開放状態にした上で、検査対象の電線対の短絡時抵抗値を測定する。抵抗値測定部３６０の機能は、例えば、Ａ／Ｄ（Analog/Digital）変換器と演算回路とを含む回路の機能により実現される。
【００３６】
以下、図４を参照して、抵抗値測定部３６０の回路図について説明する。図４に示すように、抵抗値測定部３６０は、回路的には、電源端子３６１と、スイッチング素子３６２と、負荷抵抗３６３と、抵抗値検出回路３６４と、接地端子３６５とを備える。
【００３７】
電源端子３６１は、抵抗値の測定に用いる電源電圧が印加される端子である。電源電圧は、例えば、５Ｖである。スイッチング素子３６２は、制御部３１０から供給される制御信号に従って、端子対１１間に電流を流す導通状態と、端子対１１間に電流を流さない絶縁状態とを切り替える素子である。スイッチング素子３６２の一端は、電源端子３６１に接続される。スイッチング素子３６２の他端は、負荷抵抗３６３の一端に接続される。スイッチング素子３６２は、例えば、メカニカルリレーである。
【００３８】
負荷抵抗３６３は、端子対１１間に流れる電流の大きさに応じた電圧を負荷抵抗３６３の両端に発生させる抵抗である。負荷抵抗３６３の他端は、端子１１Ａに接続される。抵抗値検出回路３６４は、端子対１１間の抵抗値を検出する回路である。抵抗値検出回路３６４は、負荷抵抗３６３の両端間の電圧と電源電圧との比から、端子対１１間の抵抗値を算出する回路である。抵抗値検出回路３６４は、算出した抵抗値を示す情報を制御部３１０に供給する。接地端子３６５は、接地電位に設定される端子である。接地端子３６５は、端子１１Ｂに接続される。
【００３９】
なお、開閉判別部３５０は、例えば、図４に示す抵抗値測定部３６０において、負荷抵抗３６３の抵抗値を調整した上で、抵抗値検出回路３６４を電圧判別回路に置換することで実現可能である。この電圧判別回路は、負荷抵抗３６３の両端間の電圧が閾値以上であるか否かの判別結果を制御部３１０に供給する回路である。
【００４０】
表示部３７０は、抵抗値測定部３６０により測定された抵抗値が予め定められた抵抗値範囲内であるか否かの判別結果を示す情報を表示する。つまり、表示部３７０は、抵抗値判別部３１１の判別結果を示す情報を表示する。例えば、表示部３７０は、電線対５１と電線対５２と電線対５３とのそれぞれについて、短絡時抵抗値と開放時抵抗値とが正常範囲内であるか否かを示す情報を表示する。なお、表示部３７０は、更に、短絡時抵抗値、開放時抵抗値、短絡時抵抗値の正常範囲、開放時抵抗値の正常範囲などを示す情報を表示してもよい。表示部３７０の機能は、例えば、ＣＰＵとタッチスクリーンとが協働することにより実現される。
【００４１】
次に、図６を参照して、開閉切替装置４００の基本的な構成及び機能について説明する。以下、開閉切替装置４００が開閉切替装置４０１である場合について説明する。図６に示すように、開閉切替装置４００は、制御回路４１０と、通信回路４２０と、アドレススイッチ４３０と、リレー４４０と、リレー駆動回路４５０と、電源回路４６０とを備える。開閉手段は、例えば、リレー４４０に対応する。コマンド受信手段は、例えば、通信回路４２０に対応する。開閉制御手段は、例えば、制御回路４１０とリレー駆動回路４５０とに対応する。
【００４２】
制御回路４１０は、開閉切替装置４００の全体の動作を制御する。例えば、制御回路４１０は、電線検査装置３００から受信した制御スケジュールに従って、リレー４４０の開閉状態を制御する。制御回路４１０は、タイマ回路４１１を備える。タイマ回路４１１は、計時機能を有する回路である。制御回路４１０は、タイマ回路４１１から出力される時刻情報に基づいて、現在時刻を特定する。そして、制御回路４１０は、現在時刻がリレー４４０の開閉状態の切替タイミングであることが制御スケジュールにより示されている場合、リレー駆動回路４５０を制御して、リレー４４０の開閉状態を切り替える。制御回路４１０は、例えば、ＣＰＵ、ＲＡＭ、ＲＯＭ、ＲＴＣを備える。
【００４３】
通信回路４２０は、電線検査装置３００と通信する。具体的には、通信回路４２０は、電線対を介した電流伝送により、電線検査装置３００からコマンドを送信する。このコマンドは、第２端子間の開閉状態を制御するためのコマンドである。このコマンドには、制御スケジュールを示すコマンドが含まれる。通信回路４２０は、電流センサ４２１を備える。電流センサ４２１は、端子２２Ａと端子２２Ｂとの間に流れる電流の大きさに応じた電圧信号を通信回路４２０に供給する。通信回路４２０は、電流センサ４２１から供給された電圧信号に基づいて、端子２２Ａと端子２２Ｂとの間に電流が流れているか否かを判別する。通信回路４２０は、電流の有無を時系列に並べて、フレームデータを復元する。
【００４４】
通信回路４２０は、フレームデータに含まれるアドレスがアドレススイッチ４３０により設定されたアドレスと一致する場合、又は、フレームデータに含まれるアドレスがブロードキャストに対応する同報アドレスである場合、フレームデータに含まれるコマンドを示す情報を制御回路４１０に供給する。アドレスは、例えば、８ビットのビットデータ、つまり、０ｘ００から０ｘＦＦの数値により表現される。なお、同報アドレスは、例えば、０ｘＦＦである。なお、第２端子対間がリレー４４０により開放されている間、第２端子対間には電流は流れない。つまり、通信回路４２０は、第２端子対間がリレー４４０により短絡されているときに、コマンドを受信することが可能である。通信回路４２０は、例えば、Ａ／Ｄ変換器と比較回路とを備える。
【００４５】
アドレススイッチ４３０は、ユーザが開閉切替装置４００のアドレスを設定するためのスイッチである。ユーザは、開閉切替装置４０１のアドレスと開閉切替装置４０２のアドレスと開閉切替装置４０３のアドレスとを、重複しないように設定する。例えば、開閉切替装置４０１のアドレスは０ｘ０１に設定され、開閉切替装置４０２のアドレスは０ｘ０２に設定され、開閉切替装置４０３のアドレスは０ｘ０３に設定される。アドレススイッチ４３０に設定されたアドレスを示す情報は、制御回路４１０と通信回路４２０とに供給される。アドレススイッチ４３０は、例えば、ディップスイッチ、ロータリースイッチである。
【００４６】
リレー４４０は、第２端子対間に接続され、第２端子対間を短絡状態又は開放状態にする。リレー４４０は、リレー駆動回路４５０による制御に従って、第２端子対間の開閉状態を切り替える。リレー４４０は、例えば、接点と電磁石とを備える、ノーマリオープンのメカニカルリレーである。
【００４７】
リレー駆動回路４５０は、制御回路４１０による制御に従って、第２端子対間を短絡又は開放する。なお、制御回路４１０は、通信回路４２０が受信したコマンドに基づいてリレー４４０を制御する。つまり、リレー駆動回路４５０は、制御回路４１０によるコマンドに基づく制御に従って、第２端子対間を短絡又は開放する。リレー駆動回路４５０は、リレー４４０が備える接点の状態を切り替えるための制御信号を、リレー４４０に供給する。
【００４８】
電源回路４６０は、開閉切替装置４００の動作電力を供給するための回路である。電源回路４６０は、電池４６１と電源スイッチ４６２とを備える。電池４６１は、蓄えている電力を、直流電力として電源回路に供給する。電源スイッチ４６２は、ユーザによる操作に従って、電池４６１と電源回路４６０との接続状態を切り替える。電源回路４６０は、電池４６１と接続されている間、制御回路４１０と通信回路４２０とリレー駆動回路４５０とに電力を供給する。
【００４９】
次に、電線検査装置３００及び開閉切替装置４００の機能の詳細について説明する。
【００５０】
通信部３４０は、複数の開閉切替装置４００のうち第１開閉切替装置に接続された第２端子対間が短絡されているときに、コマンドに対応するパターンの電流を第１端子対間に流すことにより、第１開閉切替装置にコマンドを送信する。第１開閉切替装置は、検査対象の電線対に接続された開閉切替装置４００である。以下、検査対象の電線対が電線対５１であり、第１開閉切替装置は開閉切替装置４０１であり、第２端子対は端子対２２である例について説明する。
【００５１】
この場合、通信部３４０は、端子対２２と端子対２４と端子対２６とのうち少なくとも端子対２２間が短絡されているときに、コマンドに対応するパターンの電流を端子対１１間に流すことにより、開閉切替装置４０１にコマンドを送信する。なお、端子対２２間が開放されているときは端子対２２間に電流が流れないため、電線検査装置３００は開閉切替装置４０１にコマンドを送信することができない。なお、端子対２４と端子対２６とは、短絡されていてもよいし、開放されていてもよい。なお、コマンドは、アドレスとともにフレームデータに含まれた状態で送信される。
【００５２】
一方、第１開閉切替装置が備える通信回路４２０は、第１開閉切替装置に接続された第２端子対間に流れる電流のパターンを検出することにより、コマンドを受信する。つまり、開閉切替装置４０１が備える通信回路４２０は、端子対２２間が短絡されているときに、端子対２２間に流れる電流のパターンを検出することにより、コマンドを受信する。なお、通信回路４２０は、検出した電流のパターンからフレームデータを特定し、フレームデータに含まれるアドレス及びコマンドを特定する。そして、通信回路４２０は、特定したアドレスが開閉切替装置４０１のアドレス又は同報アドレスであると判別した場合、特定したコマンドを取得する。一方、通信回路４２０は、特定したアドレスが開閉切替装置４０１のアドレスと同報アドレスとのいずれでもないと判別した場合、特定したコマンドを破棄する。
【００５３】
ここで、第１開閉切替装置が備えるリレー４４０は、ノーマリオープンのメカニカルリレーである。このため、第１開閉切替装置の電源が投入された直後は、リレー４４０により開放状態にされた第２端子対間に電流が流れず、第１開閉切替装置はコマンドを受信することができない。そこで、第１開閉切替装置が備える制御回路４１０及びリレー駆動回路４５０は、第１開閉切替装置の電源が投入されたときに、第１開閉切替装置に接続された第２端子対間が短絡するように第１開閉切替装置が備えるリレー４４０を制御する。かかる構成によれば、第１開閉切替装置は、電線検査装置３００からコマンドを受信できる。
【００５４】
また、通信部３４０は、電線対の検査処理が完了したときに、複数の開閉切替装置４００のそれぞれに、第２端子対間を開放状態に制御するためのコマンドを送信する。電線対の検査処理は、複数の第２端子対のそれぞれについて短絡時に第１端子対間の抵抗値を測定する処理を含む処理である。電線対の検査処理は、具体的には、例えば、後述する電線検査処理である。
【００５５】
このように、電線対の検査処理が完了したときは、全ての第２端子対間を開放状態にすることが好適である。この理由は、第２端子対間が開放されていれば、例えば、空調機の制御に悪影響を及ぼしにくいためである。同様の理由から、リレー４４０は、例えば、第１開閉切替装置の電源が意図せずにオフされた場合に悪影響がないように、ノーマリクローズではなくノーマリオープンであることが好適である。
【００５６】
また、通信部３４０は、第１コマンドと第２コマンドとを第２開閉切替装置に送信する。第１コマンドは、複数の開閉切替装置のうち第２開閉切替装置が備えるリレー４４０の制御スケジュールを示す情報を含むコマンドである。第２コマンドは、制御スケジュールによる制御の開始を指示する情報を含むコマンドである。第２開閉切替装置は、複数の開閉切替装置のうち制御対象の１つの開閉切替装置である。
【００５７】
一方、第２開閉切替装置が備える制御回路４１０及びリレー駆動回路４５０は、第２開閉切替装置が備える通信回路４２０により第１コマンドが受信された後に第２コマンドが受信された場合、制御スケジュールに従って、第２開閉切替装置が備えるリレー４４０を制御する。このように、制御スケジュールを用いてリレー４４０の開閉状態を一括指示する方法は、リレー４４０の開閉状態を個別指示する方法よりも利便性が高いと考えられる。この理由として、例えば、一度、個別指示によりリレー４４０を開放状態にすると、以後、第２開閉切替装置がコマンドを受信できなくなるためである。
【００５８】
ここで、通信部３４０は、複数の開閉切替装置４００のそれぞれを第２開閉切替装置として第１コマンドを送信した後、第２コマンドをブロードキャストにより複数の開閉切替装置４００に送信することが好適である。この場合、通信部３４０は、開閉切替装置４０１に開閉切替装置４０１用の制御スケジュールを送信し、開閉切替装置４０２に開閉切替装置４０２用の制御スケジュールを送信し、開閉切替装置４０３に開閉切替装置４０３用の制御スケジュールを送信する。その後、通信部３４０は、開閉切替装置４０１と開閉切替装置４０２と開閉切替装置４０３とに、ブロードキャストにより、制御スケジュールに従った制御の開始を指示する。
【００５９】
かかる構成によれば、複数の開閉切替装置４００のそれぞれを個別に制御するコマンドを送信する手間が省けるだけでなく、リレー４４０の開放後にコマンドを送信することができないという不具合を回避することができる。
【００６０】
次に、図７を参照して、制御スケジュールについて説明する。図７には、全ての開閉切替装置４００の制御スケジュールを示している。図７において、横軸は、制御スケジュールによる制御が開始されてからの経過時間（秒）を示す。
【００６１】
図７には、開閉切替装置４００は、第１待ち時間分待機した後に、リレー４４０を１秒間開放状態にし、その後、リレー４４０を１秒間短絡状態にし、その後、第２待ち時間分待機する、という制御パターンに従った制御を繰り返すことを示している。なお、開閉切替装置４００は、第１待ち時間と第２待ち時間とにおいては、リレー４４０を開放状態にする。第１待ち時間と第２待ち時間とは、開閉切替装置４０１と開閉切替装置４０２と開閉切替装置４０３とで異なる。図７には、開閉切替装置４０１、開閉切替装置４０２、開閉切替装置４０３の順序で制御される制御パターンを示している。
【００６２】
ここで、第１待ち時間をＴ１、第２待ち時間をＴ２、開放時間と短絡時間との合計の時間である開閉合計時間をＴ３、開閉切替装置４００の個数をＮ、全ての開閉切替装置４００における注目する開閉切替装置４００の制御番号をＸとする。この場合、Ｔ１＋Ｔ２＝Ｔ３×（Ｎ−１）である。また、Ｔ１＝Ｔ３×（Ｘ−１）である。図７には、開閉切替装置４０１に関しては、０秒の第１待ち時間、１秒の開放時間、１秒の短絡時間、４秒の第２待ち時間という順番で制御されることを示している。
【００６３】
同様に、開閉切替装置４０２に関しては、２秒の第１待ち時間、１秒の開放時間、１秒の短絡時間、２秒の第２待ち時間という順番で制御される。また、開閉切替装置４０３に関しては、４秒の第１待ち時間、１秒の開放時間、１秒の短絡時間、０秒の第２待ち時間という順番で制御される。なお、本実施形態では、６秒で完了する制御パターンが１０回繰り返され、６０秒で電線検査処理が完了するものとする。なお、開閉切替装置４００は、電線検査処理が完了した場合、自発的にリレー４４０を開放状態にしてもよいし、電線検査装置３００による制御に従ってリレー４４０を開放状態にしてもよい。
【００６４】
次に、図８に示すフローチャートを参照して、電線検査装置３００が実行する電線検査処理について説明する。電線検査処理は、例えば、電線検査装置３００の電源が投入されると開始される。
【００６５】
まず、電線検査装置３００は、開始指示操作があるか否かを判別する（ステップＳ１０１）。例えば、電線検査装置３００は、操作受付部３２０に対して、電線検査処理の開始を指示する開始指示操作がユーザによりなされたか否かを判別する。電線検査装置３００は、開始指示操作がないと判別すると（ステップＳ１０１：ＮＯ）、ステップＳ１０１に処理を戻す。
【００６６】
電線検査装置３００は、開始指示操作があると判別すると（ステップＳ１０１：ＹＥＳ）、アドレス情報を取得する（ステップＳ１０２）。アドレス情報は、開閉切替装置４００のアドレスを示す情報である。電線検査装置３００は、例えば、操作受付部３２０になされたユーザ操作に従って、アドレス情報を取得する。つまり、電線検査装置３００は、ユーザから、開閉切替装置４０１のアドレス、開閉切替装置４０２のアドレス、開閉切替装置４０３のアドレスの入力を受け付ける。
【００６７】
電線検査装置３００は、ステップＳ１０２の処理を完了すると、制御パターンを生成する（ステップＳ１０３）。具体的には、電線検査装置３００は、例えば、開閉切替装置４００の個数、第１待ち時間、第２待ち時間、開放時間、短絡時間、開閉切替装置４００の制御順序に基づいて、制御パターンを生成する。電線検査装置３００は、ステップＳ１０３の処理を完了すると、開閉切替装置４００を選択する（ステップＳ１０４）。例えば、電線検査装置３００は、開閉切替装置４０１、開閉切替装置４０２、開閉切替装置４０３の順序で、開閉切替装置４００を選択する。
【００６８】
電線検査装置３００は、ステップＳ１０４の処理を完了すると、制御パターンコマンドを送信する（ステップＳ１０５）。制御パターンコマンドは、生成した制御パターンのうち、制御対象の開閉切替装置４００に関する制御パターンを示すコマンドである。電線検査装置３００は、制御対象の開閉切替装置４００のアドレスと制御パターンコマンドとを含むフレームデータに対応するパターンの電流を、端子対１１間に流す。制御パターンコマンドは、上述した第１コマンドである。
【００６９】
電線検査装置３００は、ステップＳ１０５の処理を完了すると、未選択の開閉切替装置４００があるか否かを判別する（ステップＳ１０６）。電線検査装置３００は、未選択の開閉切替装置４００があると判別すると（ステップＳ１０６：ＹＥＳ）、ステップＳ１０４に処理を戻す。一方、電線検査装置３００は、未選択の開閉切替装置４００がないと判別すると（ステップＳ１０６：ＮＯ）、開始指示コマンドをブロードキャストで送信する（ステップＳ１０７）。つまり、電線検査装置３００は、同報アドレスと開始指示コマンドとを含むフレームデータに対応するパターンの電流を、端子対１１間に流す。開始指示コマンドは、上述した第２コマンドである。
【００７０】
電線検査装置３００は、ステップＳ１０７の処理を完了すると、抵抗値測定処理を実行する（ステップＳ１０８）。以下、図９を参照して、抵抗値測定処理に関して詳細に説明する。
【００７１】
まず、電線検査装置３００は、開閉切替装置４００を選択する（ステップＳ２０１）。電線検査装置３００は、予め定められた制御順序に従って、開閉切替装置４００を選択する。電線検査装置３００は、ステップＳ２０１の処理を完了すると、余裕時間分ウェイトする（ステップＳ２０２）。余裕時間は、電線検査装置３００による制御タイミングと開閉切替装置４００による開閉状態の制御タイミングとを調整するための時間である。余裕時間は、例えば、開放時間及び短絡時間の半分の時間である。例えば、開放時間と短絡時間とが１秒である場合、余裕時間は０．５秒である。
【００７２】
電線検査装置３００は、ステップＳ２０２の処理を完了すると、開閉状態を検出する（ステップＳ２０３）。電線検査装置３００は、ステップＳ２０３の処理を完了すると、開閉状態が開放状態であるか否かを判別する（ステップＳ２０４）。つまり、電線検査装置３００は、第２端子対の開閉状態が制御スケジュール通りに開放状態になっているのか否かを判別する。
【００７３】
電線検査装置３００は、開閉状態が開放状態であると判別すると（ステップＳ２０４：ＹＥＳ）、開放時抵抗を測定する（ステップＳ２０５）。つまり、電線検査装置３００は、端子対１１間の抵抗値を、開放時抵抗として測定する。電線検査装置３００は、ステップＳ２０５の処理を完了すると、開放時間分ウェイトする（ステップＳ２０６）。つまり、電線検査装置３００は、第２端子対の開閉状態が短絡状態になるまで待機する。
【００７４】
電線検査装置３００は、ステップＳ２０６の処理を完了すると、開閉状態を検出する（ステップＳ２０７）。電線検査装置３００は、ステップＳ２０７の処理を完了すると、開閉状態が短絡状態であるか否かを判別する（ステップＳ２０８）。つまり、電線検査装置３００は、第２端子対間の開閉状態が制御スケジュール通りに短絡状態になっているのか否かを判別する。
【００７５】
電線検査装置３００は、開放状態でないと判別した場合（ステップＳ２０４：ＮＯ）、又は、短絡状態でないと判別した場合（ステップＳ２０８：ＮＯ）、エラー処理を実行する（ステップＳ２０９）。エラー処理は、例えば、選択中の開閉切替装置４００と、第２端子対間の開閉状態の理論値と、第２端子対間の開閉状態の測定値とが対応付けられた情報である。電線検査装置３００は、ステップＳ２０９の処理を完了すると、抵抗値測定処理を完了する。
【００７６】
一方、電線検査装置３００は、短絡状態であると判別した場合（ステップＳ２０８：ＹＥＳ）、短絡時抵抗を測定する（ステップＳ２１０）。つまり、電線検査装置３００は、端子対１１間の抵抗値を、短絡時抵抗として測定する。電線検査装置３００は、ステップＳ２１０の処理を完了すると、余裕時間分ウェイトする（ステップＳ２１１）。つまり、電線検査装置３００は、第２端子対の開閉状態が開放状態になるまで待機する。
【００７７】
電線検査装置３００は、ステップＳ２１１の処理を完了すると、未選択の開閉切替装置４００があるか否かを判別する（ステップＳ２１２）。電線検査装置３００は、未選択の開閉切替装置４００があると判別すると（ステップＳ２１２：ＹＥＳ）、ステップＳ２０１に処理を戻す。一方、電線検査装置３００は、未選択の開閉切替装置４００がないと判別すると（ステップＳ２１２：ＮＯ）、規定回数分の抵抗値を取得済みであるか否かを判別する（ステップＳ２１３）。規定回数は、抵抗値の判別精度向上のために、抵抗値を測定する回数である。規定回数は、例えば、１０回である。
【００７８】
電線検査装置３００は、規定回数分の抵抗値を取得済みでないと判別すると（ステップＳ２１３：ＮＯ）、ステップＳ２０１に処理を戻す。電線検査装置３００は、規定回数分の抵抗値を取得済みであると判別すると（ステップＳ２１３：ＹＥＳ）、抵抗値測定処理を完了する。
【００７９】
電線検査装置３００は、ステップＳ１０８の処理を完了すると、開放指示コマンドをブロードキャストで送信する（ステップＳ１０９）。開放指示コマンドは、第２端子対間を開放状態にすることを指示するコマンドである。電線検査装置３００は、同報アドレスと開放指示コマンドとを含むフレームデータに対応するパターンの電流を、端子対１１間に流す。電線検査装置３００は、ステップＳ１０９の処理を完了すると、検査結果提示画面を表示する（ステップＳ１１０）。
【００８０】
図１１に、検査結果提示画面９００を示す。検査結果提示画面９００は、検査結果を示す情報を提示するための画面である。検査結果は、少なくとも、抵抗値が異常である電線対があるか否かの判別結果を含む。検査結果提示画面９００は、１階の電線対５１と２階の電線対５２とには異常がなく、３階の電線対５３に異常があることを報知する画面である。検査結果提示画面９００は、電線対５３の短絡時抵抗値が９００ｋΩと異常に高いこと、つまり、電線対５３のどこかが断線している可能性があることを示している。
【００８１】
次に、図１０を参照して、開閉切替装置４００が実行する開閉制御処理について説明する。開閉制御処理は、開閉切替装置４００の電源が投入された後、実行される。
【００８２】
まず、開閉切替装置４００は、第２端子対を短絡状態に制御する（ステップＳ３０１）。例えば、開閉切替装置４００は、リレー４４０を短絡状態にすることにより、開閉切替装置４００に接続された第２端子対を短絡状態にする。開閉切替装置４００は、ステップＳ３０１の処理を完了すると、制御パターンコマンドを受信したか否かを判別する（ステップＳ３０２）。開閉切替装置４００は、制御パターンコマンドを受信したと判別すると（ステップＳ３０２：ＹＥＳ）、制御パターンを記憶する（ステップＳ３０３）。なお、制御パターンは、例えば、制御回路が備える記憶回路に記憶される。
【００８３】
開閉切替装置４００は、制御パターンコマンドを受信していないと判別した場合（ステップＳ３０２：ＮＯ）、又は、ステップＳ３０３の処理を完了した場合、開始指示コマンドを受信したか否かを判別する（ステップＳ３０４）。開閉切替装置４００は、開始指示コマンドを受信したと判別すると、第１待ち時間分ウェイトする（ステップＳ３０５）。
【００８４】
開閉切替装置４００は、ステップＳ３０５の処理を完了すると、１秒間開放状態に制御する（ステップＳ３０６）。つまり、開閉切替装置４００は、リレー４４０を１秒間開放状態にする。開閉切替装置４００は、ステップＳ３０６の処理を完了すると、１秒間短絡状態に制御する（ステップＳ３０７）。つまり、開閉切替装置４００は、リレー４４０を１秒間短絡状態にする。開閉切替装置４００は、ステップＳ３０７の処理を完了すると、第２待ち時間分ウェイトする（ステップＳ３０８）。
【００８５】
開閉切替装置４００は、ステップＳ３０８の処理を完了すると、規定回数分制御済みであるか否かを判別する（ステップＳ３０９）。規定回数は、例えば、１０回である。開閉切替装置４００は、規定回数分制御済みでないと判別すると（ステップＳ３０９：ＮＯ）、ステップＳ３０５に処理を戻す。開閉切替装置４００は、開始指示コマンドを受信していないと判別した場合（ステップＳ３０４：ＮＯ）、又は、規定回数分制御済みであると判別した場合（ステップＳ３０９：ＹＥＳ）、開放指示コマンドを受信したか否かを判別する（ステップＳ３１０）。
【００８６】
開閉切替装置４００は、開放指示コマンドを受信したと判別すると（ステップＳ３１０：ＹＥＳ）、開放状態に制御する（ステップＳ３１１）。つまり、開閉切替装置４００は、リレー４４０を開放状態にする。開閉切替装置４００は、開放指示コマンドを受信していないと判別した場合（ステップＳ３１０：ＮＯ）、又は、ステップＳ３１１の処理を完了した場合、ステップＳ３０２に処理を戻す。
【００８７】
本実施形態では、電線検査装置３００から開閉切替装置４００にコマンドが送信され、分岐した電線対の端部の状態が開閉切替装置４００により制御される。従って、本実施形態によれば、分岐して設備機器間を接続する電線対を効率的に検査することができる。
【００８８】
なお、本実施形態では、電線対の端部の状態を切り替えるために、開閉切替装置４００が配置された場所に作業者が何度も足を運ぶ必要がない。つまり、作業者は、例えば、設備機器の交換前に、電線対をチェックする場合、電線検査処理の開始前に、全ての開閉切替装置４００を取り付け、電線検査処理が完了するまで、開閉切替装置４００に触れる必要がない。また、作業者は、電線検査処理が完了した後、新たな設備機器に交換時に、開閉切替装置４００を除去すればよい。
【００８９】
このため、本実施形態によれば、設備機器が配置された場所への立ち入りがなるべくない方が好ましい場合において、作業者の立ち入りの回数を減らすことが可能となるため、非常に便利である。
【００９０】
また、本実施形態では、電線対を介して電流伝送によりコマンドが伝送される。従って、本実施形態によれば、無線通信に必要な通信インターフェースを、電線検査装置３００と開閉切替装置４００とに設けずに済む。
【００９１】
また、本実施形態では、リレー４４０として、ノーマリオープンのメカニカルリレーが採用され、開閉切替装置４００の起動時にリレー４４０が短絡状態にされる。従って、本実施形態によれば、電線対の端部が短絡されるリスクを低減しつつ、電流伝送が可能となる。
【００９２】
また、本実施形態では、電線検査処理の完了時に、第２端子対間を開放状態にするためのコマンドが伝送される。従って、本実施形態によれば、何らかの原因により、第２端子対間が短絡された状態に維持されることを抑制することができる。
【００９３】
また、本実施形態では、第１コマンドにより制御スケジュールが開閉切替装置４００に送信され、第２コマンドにより開閉切替装置４００に制御開始が指示される。従って、本実施形態によれば、何らかの要因により、電流伝送ができなくなるリスクを低減することができる。
【００９４】
また、本実施形態では、第２コマンドのブロードキャストにより全ての開閉切替装置４００に制御開始が同時に指示される。従って、本実施形態によれば、コマンドの伝送回数を減らし、また、何らかの要因により、電流伝送ができなくなるリスクを低減することができる。
【００９５】
（実施形態２）
実施形態１では、電線検査装置３００が電流伝送により開閉切替装置４００にコマンドを送信する例について説明した。電線検査装置３００が電圧伝送により開閉切替装置４００にコマンドを送信してもよい。以下、図１２を参照して、通信部３４６の回路図について説明する。図１２に示すように、通信部３４６は、回路的には、電源端子３４１と、スイッチング素子３４２と、信号変換回路３４３と、負荷抵抗３４４と、接地端子３４５とを備える。
【００９６】
負荷抵抗３４４の一端は、電源端子３４１と接続される。負荷抵抗３４４の他端は、端子１１Ａとスイッチング素子３４２の電流路の一端とに接続される。スイッチング素子３４２の電流路の他端は、端子１１Ｂと接地端子３４５とに接続される。ここで、信号変換回路３４３は、例えば、フレームデータを８ビット毎にパラレル信号で示すデータ信号を、制御部３１０から受信する。信号変換回路３４３は、このパラレル信号を、フレームデータを１ビットのシリアル信号で示す制御信号に変換し、スイッチング素子３４２に供給する。かかる構成によれば、スイッチング素子３４２により、端子対１１間に電圧が印加される状態と、端子対１１間に電圧が印加されない状態とに切り替えられる。
【００９７】
一方、図１３に示すように、開閉切替装置４８０は、通信回路４２２の構成が実施形態１とは異なる。つまり、通信回路４２２は、電流センサ４２１を備えず、端子対２２間に流れる電流ではなく、端子対２２間に印加された電圧を検出する。そして、通信回路４２２は、端子対２２間に印加された電圧の時系列データを、コマンドに変換する。
【００９８】
本実施形態では、電線検査装置３００から開閉切替装置４００にコマンドが送信され、分岐した電線対の端部の状態が開閉切替装置４００により制御される。従って、本実施形態によれば、分岐して設備機器間を接続する電線対を効率的に検査することができる。
【００９９】
また、本実施形態では、電線対を介して電圧伝送によりコマンドが伝送される。従って、本実施形態によれば、無線通信に必要な通信インターフェースを、電線検査装置３００と開閉切替装置４００とに設けずに済む。
【０１００】
さらに、本実施形態では、電圧伝送によりコマンドが伝送可能であるため、抵抗測定をしない間、開閉切替装置４００は、第２端子対間を開放状態に維持することができる。また、リレー４４０としてノーマリオープンのメカニカルリレーを採用した場合、開閉切替装置４００は、起動時にリレー４４０を短絡させる必要がない。
【０１０１】
（変形例）
以上、本発明の実施形態を説明したが、本発明を実施するにあたっては、種々の形態による変形及び応用が可能である。
【０１０２】
本発明において、上記実施形態において説明した構成、機能、動作のどの部分を採用するのかは任意である。また、本発明において、上述した構成、機能、動作のほか、更なる構成、機能、動作が採用されてもよい。
【０１０３】
実施形態１では、電線検査システム１０００が空調システムに適用される例について説明した。電線検査システム１０００が他のシステムに適用されてよいことは勿論である。例えば、電線検査システム１０００は、分岐する電線対により複数の照明装置又は照明制御装置が接続された照明システムに適用することができる。
【０１０４】
実施形態１，２では、電線対を介した有線通信により、コマンドが伝送される例について説明した。電線対を介さない無線通信により、電線検査装置３００から開閉切替装置４００にコマンドが伝送されてもよい。この場合、無線通信用の通信インターフェースを、電線検査装置３００と開閉切替装置４００とに設ければよい。
【０１０５】
実施形態１，２では、制御スケジュールを示す第１コマンドと制御の開始を指示する第２コマンドとを用いて、全ての開閉切替装置４００を一括して制御する例について説明した。開閉切替装置４００を個別に制御してもよいことは勿論である。この場合、開閉切替装置４００の状態によっては、開閉切替装置４００がコマンドを受信できないことに留意することが好適である。例えば、実施形態１では、開閉切替装置４００は、自身が開放状態であるときはコマンドを受信することができず、実施形態２では、開閉切替装置４００は、いずれかの開閉切替装置４００が短絡状態であるときはコマンドを受信することができない。そこで、開閉切替装置４００は、コマンドを受信できない状態に制御された後、予め定められた時間が経過した後、自動的にコマンドを受信できる状態に移行することが好適である。例えば、実施形態２において、短絡時抵抗の計測対象の開閉切替装置４００に対して、一定時間（例えば、数秒間）だけ短絡状態になることを指示するコマンドを送信することが好適である。
【０１０６】
本発明に係る電線検査装置の動作を規定する動作プログラムを既存のパーソナルコンピュータ又は情報端末装置に適用することで、当該パーソナルコンピュータ又は情報端末装置を本発明に係る電線検査装置として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【０１０７】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１０８】
本発明は、分岐する電線対により複数の設備機器が接続されたシステムに適用可能である。
【符号の説明】
【０１０９】
１１，２２，２４，２６  端子対、１１Ａ，１１Ｂ，２１Ａ，２１Ｂ，２２Ａ，２２Ｂ，２３Ａ，２３Ｂ，２４Ａ，２４Ｂ，２５Ａ，２５Ｂ，２６Ａ，２６Ｂ，３１Ａ，３１Ｂ，３２Ａ，３２Ｂ  端子、４１Ａ，４１Ｂ，４２Ａ，４２Ｂ，４３Ａ，４３Ｂ，４４Ａ，４４Ｂ，４５Ａ，４５Ｂ，４６Ａ，４６Ｂ，４７Ａ，４７Ｂ，４８Ａ，４８Ｂ  電線、５１，５２，５３  電線対、１００  室外機、２０１，２０２，２０３，２０４，２０５，２０６  室内機、３００  電線検査装置、３１０  制御部、３１１  抵抗値判別部、３２０  操作受付部、３３０  記憶部、３４０，３４６  通信部、３４１，３６１  電源端子、３４２，３６２  スイッチング素子、３４３  信号変換回路、３４４，３６３  負荷抵抗、３４５，３６５  接地端子、３５０  開閉判別部、３６０  抵抗値測定部、３６４  抵抗値検出回路、３７０  表示部、４００，４０１，４０２，４０３，４８０  開閉切替装置、４１０  制御回路、４１１  タイマ回路、４２０，４２２  通信回路、４２１  電流センサ、４３０  アドレススイッチ、４４０  リレー、４５０  リレー駆動回路、４６０  電源回路、４６１  電池、４６２  電源スイッチ、９００  検査結果提示画面、１０００  電線検査システム
【図１】
2020190447.tif 000003
【図２】
2020190447.tif 000004
【図３】
2020190447.tif 000005
【図４】
2020190447.tif 000006
【図５】
2020190447.tif 000007
【図６】
2020190447.tif 000008
【図７】
2020190447.tif 000009
【図８】
2020190447.tif 000010
【図９】
2020190447.tif 000011
【図１０】
2020190447.tif 000012
【図１１】
2020190447.tif 000013
【図１２】
2020190447.tif 000014
【図１３】
2020190447.tif 000015